(57)【要約】電池管理サーバ２０の再利用電池供給予測部２０１は、複数の車両４０から、各々の車両４０に搭載された二次電池４０３の性能情報および各車両４０の寿命を判断するための車両の状態情報を受信し、車両４０の状態情報の履歴を用いてその車両の寿命の到来時期を予測するとともに、二次電池４０３の性能情報の履歴を用いて、その車両４０の寿命が到来したときの二次電池４０３の性能を予測する。さらに、各々の車両４０の寿命到来時点での二次電池２０３の性能の予測結果に基づいて、将来のある時点における再利用可能な二次電池の供給量を予測する。
2012133212.tif 000002
【特許請求の範囲】
【請求項１】
複数の車両から、各々の車両に搭載された二次電池の性能情報および各車両の寿命を判断するための車両の状態情報を受信し、前記車両の状態情報の履歴を用いてその車両の寿命の到来時期を予測するとともに、前記二次電池の性能情報の履歴を用いて、その車両の寿命が到来したときの前記二次電池の性能を予測する車両寿命電池性能予測部と、
各々の車両の寿命到来時点での二次電池の性能の予測結果に基づいて、将来のある時点における再利用可能な二次電池の供給量を予測する電池供給量予測部と、を備えた再利用二次電池供給予測システム。
【請求項２】
前記車両の状態情報は、車両の走行距離であり、
前記車両寿命電池性能予測部は、車両の走行距離の増加傾向から、所定の走行距離に達する時期を算出することにより、その車両の寿命到来時期を予測する、請求項１に記載の再利用二次電池供給予測システム。
【請求項３】
前記車両の状態情報は、車両の使用時間であり、
前記車両寿命電池性能予測部は、車両の使用時間の増加傾向から、所定の使用時間に達する時期を算出することにより、その車両の寿命到来時期を予測する、請求項１に記載の再利用二次電池供給予測システム。
【請求項４】
前記二次電池の性能情報は、二次電池の総容量であり、
前記車両寿命電池性能予測部は、二次電池の総容量の減少傾向から、車両の寿命到来時点でのその二次電池の総容量を算出することにより、前記車両の寿命到来時点での前記二次電池の性能を予測する、請求項１に記載の再利用二次電池供給予測システム。
【請求項５】
前記二次電池の性能情報は、二次電池の最大出力電流であり、
前記車両寿命電池性能予測部は、二次電池の最大出力電流の減少傾向から、車両の寿命到来時点でのその二次電池の最大出力電流を算出することにより、前記車両の寿命到来時点での前記二次電池の性能を予測する、請求項１に記載の再利用二次電池供給予測システム。
【請求項６】
各車両から前記車両の状態情報および前記二次電池の性能情報を受信するタイミングが、前回の受信時から一定時間経過後、二次電池の充電完了時、および車両の使用終了時のうちの少なくとも１つである、請求項１から５のいずれかに記載の再利用二次電池供給予測システム。
【請求項７】
複数の車両から、各々の車両に搭載された二次電池の性能情報および各車両の寿命を判断するための車両の状態情報を受信するステップと、
前記車両の状態情報の履歴を用いてその車両の寿命の到来時期を予測するステップと、
前記二次電池の性能情報の履歴を用いて、その車両の寿命が到来したときの前記二次電池の性能を予測するステップと、
各々の車両の寿命到来時点での二次電池の性能の予測結果に基づいて、将来のある時点における再利用可能な二次電池の供給量を予測するステップと、を含む再利用二次電池供給予測方法。
【発明の詳細な説明】
【技術分野】
【０００１】
本発明は、再利用可能な二次電池がどの程度供給されるかを予測する再利用二次電池供給予測システムおよび再利用二次電池供給予測用法に関する。
【背景技術】
【０００２】
電動車両等に搭載される二次電池にはニッケル、カドニウム、コバルトなどの地球上で限りのある資源が利用されている。このため、環境保護の観点から、二次電池の再利用、再資源化が望まれる。二次電池を搭載した電動車両としては、電気自動車や、内燃機関とモータの両方を搭載したハイブリッド車などが挙げられる。このような電動車両を電気で駆動するためには、搭載されている二次電池に外部の充電器から充電を行う必要がある。一般的に、二次電池を長期間使用すると充放電の繰り返しにより性能が劣化する。劣化により、二次電池の総容量および最大出力電流が減少する。また、劣化に伴い、二次電池は膨張、変形する。【０００３】
また、二次電池には希少金属が利用されているため製造コストが非常に高い。よって、車両の寿命がきたときに、その車両で利用した二次電池の劣化がそれほど進んでいなければ、他の装置で再利用することにより他の装置の製造コストの削減が可能となる。また、車両の寿命がきたときに、その車両で利用した二次電池の劣化が再利用できないほど進んでいれば、廃棄して希少金属などを再資源化し、再資源化した材料を新品の二次電池の製造に利用することで、二次電池の製造コストの削減が可能となる。【０００４】
再利用電池を組み込む装置の製造メーカにとって、いつ、どの程度の性能の再利用可能な二次電池が、どの程度の量供給されるのかを把握することは、電池の調達計画、装置の製造計画を立てる上で非常に重要である。また、二次電池の製造メーカにとっては、いつ、どの程度の量の再資源化された材料が供給されるかを把握することは、二次電池材料の調達計画、二次電池の製造計画を立てる上で非常に重要な情報となる。【０００５】
二次電池の再利用の効率化に関する従来の技術の例として、特許文献１には、二次電池固有の電池情報を通信ネットワーク上の電池情報管理装置に収集し、電池情報管理装置は、二次電池固有の電池情報に基づいて二次電池を再利用する時にグレード分けすることが記載されている。
【先行技術文献】
【特許文献】
【０００６】
【特許文献１】特開２００７−１４１４６４号公報
【発明の概要】
【発明が解決しようとする課題】
【０００７】
しかしながら、特許文献１に開示されている技術では、二次電池を再利用する時にグレード分けされているものの、いつ、どの程度の性能の再利用可能な二次電池が、どの程度の量供給されるのかを予測できないという課題があった。【０００８】
そこで、本発明の目的は、どの程度の性能の再利用可能な二次電池が、どの程度の量供給されるのかを予測することが可能なシステムを提供することである。
【課題を解決するための手段】
【０００９】
本発明に係る再利用二次電池供給予測システムは、複数の車両から、各々の車両に搭載された二次電池の性能情報および各車両の寿命を判断するための車両の状態情報を受信し、前記車両の状態情報の履歴を用いてその車両の寿命の到来時期を予測するとともに、前記二次電池の性能情報の履歴を用いて、その車両の寿命が到来したときの前記二次電池の性能を予測する車両寿命電池性能予測部と、各々の車両の寿命到来時点での二次電池の性能の予測結果に基づいて、将来のある時点における再利用可能な二次電池の供給量を予測する電池供給量予測部と、を備えたものである。
【発明の効果】
【００１０】
本発明によれば、いつ、どの程度の性能の再利用可能な二次電池が、どの程度の量供給されるのかを予測することが可能となる。
【図面の簡単な説明】
【００１１】
【図１】本発明の実施の形態１による、再利用二次電池供給予測システムの構成を示すブロック図。
【図２】本発明の実施の形態１による、電池管理サーバの詳細な構成を示すブロック図。
【図３】二次電池のライフサイクルを示すフロー図。
【図４】本発明の実施の形態１による、再利用電池の供給を予測する処理のシーケンス図。
【図５】本発明の実施の形態１による、特定車両の電池性能と車両状態の履歴データの例を示す図。
【図６】特定車両の電池容量・走行距離・使用年数の関係を表すグラフ。
【図７】本発明の実施の形態１による、複数車両の車両寿命および電池性能の予測結果の例を示す図。
【図８】本発明の実施の形態による、再利用電池の予測供給量の表の例を示す図。
【発明を実施するための形態】
【００１２】
実施の形態１．
次に、本発明を実施するための形態について、図面を参照して詳細に説明する。
図１は、本発明の実施の形態１による再利用二次電池供給予測システム１０の構成を示すブロック図である。図に示すように、再利用二次電池供給予測システム１０は、電池管理サーバ２０と、通信ネットワーク３０と、車両４０を備えている。電池管理サーバ２０と車両４０は、通信ネットワーク３０を介して接続されている。
【００１３】
電池管理サーバ２０は、再利用電池供給予測部２０１、通信部２０２、電池データベース２０３を備えている。電池管理サーバ２０は、ＣＰＵ、ＲＯＭやＲＡＭ等のメモリ、各種の情報を格納する外部記憶装置、入力インタフェース、出力インタフェース、通信インタフェース及びこれらを結ぶバスを備える専用又は汎用のコンピュータを適用することができる。なお、電池管理サーバ２０は、単一のコンピュータにより構成されるものであっても、通信回線を介して互いに接続された複数のコンピュータにより構成されるものであってもよい。
【００１４】
再利用電池供給予測部２０１、通信部２０２は、ＣＰＵがＲＯＭ等に格納された所定のプログラムを実行することにより実現される機能のモジュールに相当する。電池データベース２０３は、外部記憶装置により実装される。
【００１５】
図２は、電池管理サーバ２０の詳細な構成を示すブロック図である。図２に示すように、再利用電池供給予測部２０１は、車両寿命電池性能予測部２０１１と、電池供給量予測部２０１２を備えている。
【００１６】
図１に示すように、車両４０には、通信部４０１、電池管理部４０２、二次電池４０３が搭載されている。二次電池４０３は、リチウムイオン二次電池、ニッケル水素二次電池、または鉛二次電池のいずれか、あるいは類似の二次電池である。通信部４０１は、携帯電話、無線ＬＡＮ、赤外線通信、または充電時に接続される電力線上での電力線通信のいずれか、あるいは類似の通信手段である。
【００１７】
次に、図３，４を用いて再利用二次電池供給予測システム１０の動作について説明する。
図３は、二次電池４０３のライフサイクルを示すフロー図である。図３において、材料商社は、電池の材料を調達し、販売する。電池製造メーカは、電池の材料として新規の材料と再資源化されたリサイクル材料を調達し、電池を製造し、販売する。自動車製造メーカは、電池を調達し、電池を車両に組み込み、車両を販売する。
【００１８】
再利用電池商社は、寿命がきた車両の電池が再利用可能かどうかを選別し、再利用可能な電池を販売し、再利用できない電池を廃棄する。再利用電池を組み込んだ装置の装置製造メーカは、再利用電池を調達し、再利用電池を装置に組み込み、再利用電池組み込み装置を販売する。リサイクル業者は、車両および再利用電池組み込み装置から取り外された再利用できない廃棄電池を調達し、材料の再資源化と販売を行うともに、再資源化できない廃棄物を処理する。二次電池のライフサイクルにおいては、再利用可能な電池を別の車両で再利用してもよい。また、一度再利用した電池を再度別の装置に再利用してもよい。
【００１９】
次に、図３に示す電池のライフサイクルにおいて、本実施形態による再利用二次電池供給予測システム１０が予測する再利用電池供給量や廃棄電池供給量がどの事業者にどのように利用されるかを説明する。
【００２０】
再利用電池を組み込んだ装置の装置製造メーカにとって、いつ、どの程度の量の、どのような性能の電池が再利用のために供給されるかを把握することは、再利用電池の調達計画や、装置の製造計画を立案するにあたり重要な情報である。また、リサイクル業者にとって、いつ、どの程度の量の廃棄電池が供給されるかを把握することは、廃棄電池の調達計画、再資源化の計画を立案するにあたり重要な情報である。また、電池製造メーカにとっては、再資源化されたリサイクル材料がいつ、どの程度の量供給されるのかを把握することは、電池の材料の調達計画、電池の製造計画を立案するために重要な情報である。
【００２１】
図４は、再利用電池の供給を予測する処理のシーケンス図である。
まず、車両４０の電池管理部４０２の処理について説明する。
まず、電池管理サーバ２０に、二次電池４０３の性能情報や車両４０の状態情報を送信するタイミングになるまで待機する（ステップＳ１０１）。データ送信タイミングは、１日や１週間など一定時間が経過したタイミングとすることができる。または、車両４０を利用し、停車してキーを抜いたタイミングや、二次電池４０３を充電した時の充電完了のタイミングとしてもよい。ここでは、一例として１週間おきにデータを送信する。
【００２２】
電池管理部４０２は、データ送信タイミングとなったら（ステップＳ１０１：ＹＥＳ）、二次電池４０３の性能の計測と、車両４０の状態の計測を実行する（ステップＳ１０２）。
【００２３】
二次電池４０３の性能情報として、二次電池４０３の総容量と、二次電池４０３の最大出力電流を計測する。一般的に二次電池を長期間使用すると、充放電の繰り返しにより性能が劣化し、総容量および最大出力電流が減少する。また、二次電池を長時間使用すると、二次電池が膨張することが知られている。したがって、二次電池の膨張を電池周囲に設置する感圧センサで計測し、性能情報としてもよい。
【００２４】
また、車両状態の情報として、走行距離と使用時間を計測する。例えば車両４０にＧＰＳを搭載し、計測された緯度経度情報を車両状態としてもよい。
【００２５】
次に、計測した電池性能および車両状態を電池管理サーバ２０に送信する（ステップＳ１０３）。
【００２６】
次に、電池管理サーバ２０の車両寿命電池性能予測部２０１１の処理について説明する。
まず、車両４０からの電池性能と車両状態の情報の受信を待機する（ステップＳ１１１）。
【００２７】
車両４０から電池性能と車両状態を受信したら（ステップＳ１１１：ＹＥＳ）、電池データベース２０３に登録する（ステップＳ１１２）。このとき、データベースに登録されていない車両４０からのデータ受信であれば、電池を識別できるように電池ＩＤを付与する。電池データベース２０３では、電池毎に特定車両の電池性能と車両状態の履歴データを記録する。
【００２８】
図５は、特定車両の電池性能と車両状態の履歴データの例を示す図である。履歴データには、電池の種類を識別する電池種類、何回目の受信データかを示す履歴番号、データを受信して記録したデータ記録日時、走行距離、利用場所の他、電池性能として、現在の電池総容量、現在の電池最大出力電流、普通充電回数、急速充電回数が記録されている。
【００２９】
次に、受信した電池の履歴データが一定期間以上記録されているか否かを判定する（ステップＳ１１３）。具体的には、ある一定期間の間に記録された履歴情報を利用して過去にどのような変化があったかを分析し、車両寿命の予測と将来の電池性能の予測を行う。本実施形態では、車両寿命や将来の電池性能を予測するための履歴情報の最低蓄積期間を１年とする。
【００３０】
次に、電池データベース２０３から、情報を受信した電池に関する過去の電池性能および車両状態の履歴情報を参照する（ステップＳ１１４）。次に、車両状態の履歴情報に基づいて、車両の寿命を予測する（ステップＳ１１５）。
【００３１】
車両の寿命の予測方法について、図６を用いて説明する。図６は、特定車両の電池容量・走行距離・使用年数の関係を表すグラフである。ここでは、ある一定の走行距離に達したら車両に寿命が来るように定義されている。この走行距離は車種によって異なる。具体的には、例えば１０万キロメートル走行した時点で寿命が来ると定義する。
【００３２】
該当する車両の車両状態の履歴情報から、使用期間（年数）と走行距離を両軸として点をプロットしてグラフを描く。プロットした点を線形近似することで、走行距離の増加を予測する線を描くことができる。走行距離が１０万キロメートルに達する使用期間を、車両の寿命として予測する。図６の例では、使用開始から２年間の走行距離の情報から将来の増加予測の直線を描いており、７年後に１０万キロメートルに達することが予測される。このため、車両寿命は使用開始から７年後と予測される。
【００３３】
また、走行距離の将来の値を予測するために二次曲線などの多項式による近似曲線、あるいは類似の近似曲線を用いてもよい。また、車両寿命の判断方法として、車両を実際に運転した合計時間によって予測する方法を用いてもよい。例えば、１万時間車両を運転したら車両寿命と判断するようにしてもよい。
【００３４】
また、別の車両寿命の判断方法として、使用期間によって車両寿命を判断するようにしてもよい。例えば、使用開始後１０年経過したら車両の寿命とする。またユーザが寿命を判断するための走行距離、使用時間、使用期間を自由に定義できる手段を設けてもよい。
【００３５】
次に、電池の性能の履歴情報をもとに車両寿命時の電池性能を予測する（ステップＳ１１６）。車両寿命時の電池性能の予測方法について、図６を用いて説明する。本実施形態では、電池性能を電池の総容量の劣化率で定義する。該当する車両の電池総容量の劣化率の履歴情報を用いて、使用期間（年数）と電池容量を両軸として点をプロットしてグラフを描く。プロットした点を線形近似することで、電池総容量の劣化率の減少を予測する線を描くことができる。ここでは、該当する車両の寿命は使用開始から７年後と予測したので、図６のグラフから、車両寿命時（使用年数７年目）の電池容量は８３％であると予測できる。
【００３６】
なお、電池性能の将来の値を予測するために、二次曲線などの多項式による近似曲線、あるいは類似の近似曲線を用いてもよい。また、電池の最大出力電流の履歴情報を利用し、車両寿命時の最大出力電力量の劣化率で電池性能を定義してもよい。
【００３７】
以上の処理で、特定の車両における、車両の寿命がきたときの電池の性能を予測することができる。
【００３８】
次に、車両寿命および電池性能の予測結果を利用して電池データベース２０３を更新する（ステップＳ１１７）。複数車両の車両寿命および電池性能の予測結果のデータの一覧の例を図７に示す。データは、電池を識別する電池ＩＤ、電池種類を識別する電池種類、電池の使用開始日、電池初期容量、車種ごとに定義される車両の寿命走行距離、車両寿命予測日時、車両寿命到来時の予測電池総容量劣化率の情報を含んでいる。
【００３９】
次に、図４を用いて電池管理サーバ２０の電池供給量予測部２０１２の処理について説明する。
まず、電池供給量予測部２０１２が、ユーザから電池供給量予測結果の問い合わせを受信する（ステップＳ１２１）。ユーザは、所望の条件のデータを指定して問い合わせを行うことができる。例えば、２０２０年の４月から９月の期間における電池種類Ａの再利用可能な電池の予測供給量というように、期間と電池種類を指定することができる。
【００４０】
次に、電池毎の車両寿命及び車両寿命時の電池性能予測結果のデータベースを参照する（ステップＳ１２２）。電池データベース２０３に登録されているすべての電池について、ユーザから要求のあった電池種類・供給時期に該当する電池の電池性能予測結果を参照し、再利用電池の供給予測数をカウントして表を作成する（ステップＳ１２４）。
【００４１】
最後に、作成した再利用電池予測供給量の表をユーザに提示する（ステップＳ１２５）。図８に、再利用電池の予測供給量の表の例を示す。以上の処理により、ユーザは所望する再利用電池の供給予測数を参照することが可能となる。
【００４２】
以上のように、本実施形態によれば、いつ、どの程度の性能の再利用可能な二次電池が、どの程度の量供給されるのかを予測することが可能となる。また、同時に再利用できない二次電池がどの程度の量出るかも予測できるので、廃棄される二次電池の量を予測することも可能となる。
【００４３】
実施の形態２．
実施の形態２では、本発明に係る再利用二次電池供給予測システムを再利用電池組み込み装置（車両）に適用する。
【００４４】
実施の形態２による再利用二次電池供給予測システムの構成と動作は実施の形態１と同様である。実施の形態２では、再利用電池組み込み装置に搭載された再利用二次電池の性能情報、および装置の状態情報を電池管理サーバ２０３に蓄積する。そして、実施の形態１と同様の手順により、車両寿命電池性能予測部２０１１において、再利用電池組み込み装置の寿命がきた時点での再利用二次電池の性能を予測する。さらに、電池供給量予測部２０１２において、電池の電池性能予測結果に基づいて、ユーザの指定した条件に該当する再利用電池の供給予測数をカウントし、提供する。
【００４５】
実施の形態３．
実施の形態３では、本発明に係る再利用二次電池供給予測システムを車両に搭載された二次電池以外の二次電池に適用する。具体的には、例えば、太陽発電や風力発電による余剰電力を蓄電するための定置用蓄電池が挙げられる。
【００４６】
実施の形態３による再利用二次電池供給予測システムの構成と動作は実施の形態１と同様であるが、実施の形態３では、定置用蓄電池の寿命を予測するために、実施の形態１の車両寿命の予測における走行距離のパラメータの代わりに、電池の使用時間、電池に出入りした電力量を電池管理サーバ２０３に蓄積する。
【００４７】
実施の形態４．
実施の形態４では、本発明に係る再利用二次電池供給予測システムを電動車両に搭載されているモータの再利用予測に適用する。電動車両に用いられるモータには、ネオジムなどのレアアースが利用されている。そのため、地球の環境保全のためにもモータを再利用、再資源化をすることが望まれる。
【００４８】
実施の形態４では、車両の寿命予測については実施の形態１と同様に行う。モータの性能情報については、出力トルク、効率などを計測し、これらの値に基づいて再利用性を判断する。
【００４９】
この出願は、２０１１年３月２９日に出願された日本出願特願２０１１−７１８３６を基礎とする優先権を主張し、その開示の全てをここに取り込む。
【００５０】
以上、実施形態を参照して本願発明を説明したが、本願発明は上記実施形態に限定されるものではない。本願発明の構成や詳細には、本願発明のスコープ内で当業者が理解し得る様々な変更をすることができる。
【００５１】
上記の実施の形態の一部または全部は、以下の付記のようにも記載されうるが、以下には限られない。
（付記１）複数の車両から、各々の車両に搭載された二次電池の性能情報および各車両の寿命を判断するための車両の状態情報を受信し、前記車両の状態情報の履歴を用いてその車両の寿命の到来時期を予測するとともに、前記二次電池の性能情報の履歴を用いて、その車両の寿命が到来したときの前記二次電池の性能を予測する車両寿命電池性能予測部と、
各々の車両の寿命到来時点での二次電池の性能の予測結果に基づいて、将来のある時点における再利用可能な二次電池の供給量を予測する電池供給量予測部と、を備えた再利用二次電池供給予測システム。
【００５２】
（付記２）前記車両の状態情報は、車両の走行距離であり、
前記車両寿命電池性能予測部は、車両の走行距離の増加傾向から、所定の走行距離に達する時期を算出することにより、その車両の寿命到来時期を予測する、付記１に記載の再利用二次電池供給予測システム。
【００５３】
（付記３）前記車両の状態情報は、車両の使用時間であり、
前記車両寿命電池性能予測部は、車両の使用時間の増加傾向から、所定の使用時間に達する時期を算出することにより、その車両の寿命到来時期を予測する、付記１に記載の再利用二次電池供給予測システム。
【００５４】
（付記４）前記二次電池の性能情報は、二次電池の総容量であり、
前記車両寿命電池性能予測部は、二次電池の総容量の減少傾向から、車両の寿命到来時点でのその二次電池の総容量を算出することにより、前記車両の寿命到来時点での前記二次電池の性能を予測する、付記１に記載の再利用二次電池供給予測システム。
【００５５】
（付記５）前記二次電池の性能情報は、二次電池の最大出力電流であり、
前記車両寿命電池性能予測部は、二次電池の最大出力電流の減少傾向から、車両の寿命到来時点でのその二次電池の最大出力電流を算出することにより、前記車両の寿命到来時点での前記二次電池の性能を予測する、付記１に記載の再利用二次電池供給予測システム。
【００５６】
（付記６）各車両から前記車両の状態情報および前記二次電池の性能情報を受信するタイミングが、前回の受信時から一定時間経過後、二次電池の充電完了時、および車両の使用終了時のうちの少なくとも１つである、付記１から５のいずれかに記載の再利用二次電池供給予測システム。
【００５７】
（付記７）複数の車両から、各々の車両に搭載された二次電池の性能情報および各車両の寿命を判断するための車両の状態情報を受信するステップと、
前記車両の状態情報の履歴を用いてその車両の寿命の到来時期を予測するステップと、
前記二次電池の性能情報の履歴を用いて、その車両の寿命が到来したときの前記二次電池の性能を予測するステップと、
各々の車両の寿命到来時点での二次電池の性能の予測結果に基づいて、将来のある時点における再利用可能な二次電池の供給量を予測するステップと、を含む再利用二次電池供給予測方法。
【産業上の利用可能性】
【００５８】
本発明は、いつ、どの程度の性能の再利用可能な二次電池が、どの程度の量供給されるのかを予測することに適している。
【符号の説明】
【００５９】
１０  再利用二次電池供給予測システム、２０  電池管理サーバ、３０  通信ネットワーク、４０  車両、２０１  再利用電池供給予測部、２０２  通信部、２０３  電池データベース、４０１  通信部、４０２  電池管理部、４０３  二次電池、２０１１  車両寿命電池性能予測部、２０１２  電池供給量予測部
【図１】
2012133212.tif 000003
【図２】
2012133212.tif 000004
【図３】
2012133212.tif 000005
【図４】
2012133212.tif 000006
【図５】
2012133212.tif 000007
【図６】
2012133212.tif 000008
【図７】
2012133212.tif 000009
【図８】
2012133212.tif 000010
【手続補正書】
【提出日】平成25年9月18日(2013.9.18)
【手続補正１】
【補正対象書類名】特許請求の範囲
【補正対象項目名】全文
【補正方法】変更
【補正の内容】
【特許請求の範囲】
【請求項１】
車両に搭載された二次電池の性能情報および前記車両の状態情報を受信する通信部と、
前記車両の状態情報の履歴を用いてその車両の寿命を予測し、前記二次電池の性能情報の履歴を用いて、その車両の寿命時の前記二次電池の性能を予測する電池性能予測部と、を備えた再利用二次電池供給予測システム。
【請求項２】
前記二次電池の性能の予測結果に基づいて、将来のある時点における再利用可能な二次電池の供給量を予測する電池供給量予測部と、を備えた請求項１に記載の再利用二次電池供給予測システム。
【請求項３】
前記車両の状態情報は、車両の走行距離であり、
前記電池性能予測部は、車両の走行距離の増加傾向から、所定の走行距離に達する時期を算出することにより、その車両の寿命到来時期を予測する、請求項１に記載の再利用二次電池供給予測システム。
【請求項４】
前記車両の状態情報は、車両の使用時間であり、
前記電池性能予測部は、車両の使用時間の増加傾向から、所定の使用時間に達する時期を算出することにより、その車両の寿命到来時期を予測する、請求項１に記載の再利用二次電池供給予測システム。
【請求項５】
前記二次電池の性能情報は、二次電池の総容量であり、
前記電池性能予測部は、二次電池の総容量の減少傾向から、車両の寿命到来時点でのその二次電池の総容量を算出することにより、前記車両の寿命到来時点での前記二次電池の性能を予測する、請求項１に記載の再利用二次電池供給予測システム。
【請求項６】
前記二次電池の性能情報は、二次電池の最大出力電流であり、
前記電池性能予測部は、二次電池の最大出力電流の減少傾向から、車両の寿命到来時点でのその二次電池の最大出力電流を算出することにより、前記車両の寿命到来時点での前記二次電池の性能を予測する、請求項１に記載の再利用二次電池供給予測システム。
【請求項７】
前記車両から前記車両の状態情報および前記二次電池の性能情報を受信するタイミングが、前回の受信時から一定時間経過後、二次電池の充電完了時、および車両の使用終了時のうちの少なくとも１つである、請求項１から６のいずれかに記載の再利用二次電池供給予測システム。
【請求項８】
車両に搭載された二次電池の性能情報および前記車両の状態情報を受信するステップと、
前記車両の状態情報の履歴を用いてその車両の寿命を予測し、前記二次電池の性能情報の履歴を用いて、その車両の寿命時の前記二次電池の性能を予測するステップと、を含む再利用二次電池供給予測方法。
【請求項９】
定置用蓄電装置に搭載された二次電池の性能情報と、前記定置用蓄電装置の状態情報とを受信する通信部と、
前記二次電池の性能情報と、前記定置用蓄電装置の状態情報の履歴とに基づいて、前記二次電池の寿命を予測する予測部と、を備えた寿命予測システム。
【請求項１０】
前記予測部が、前記定置用蓄電装置の状態情報の履歴に基づいて、前記定置用蓄電装置の寿命を予測する、請求項９に記載の寿命予測システム。
【請求項１１】
前記予測部が、前記二次電池の性能情報の履歴に基づいて、前記定置用蓄電装置の寿命時の前記二次電池の性能を予測する、請求項９に記載の寿命予測システム。
【請求項１２】
前記定置用蓄電装置の寿命時の前記二次電池の性能の予測結果に基づいて、再利用可能な二次電池の供給量を表示する、請求項９または１０に記載の寿命予測システム。
【請求項１３】
前記二次電池の性能情報は、二次電池の総容量であり、
前記予測部は、二次電池の総容量の減少傾向から、前記定置用蓄電装置の寿命到来時点でのその二次電池の総容量を算出することにより、前記定置用蓄電装置の寿命到来時点での前記二次電池の性能を予測する、請求項９に記載の寿命予測システム。
【請求項１４】
前記二次電池の性能情報は、二次電池の最大出力電流であり、
前記予測部は、二次電池の最大出力電流の減少傾向から、前記定置用蓄電装置の寿命到来時点でのその二次電池の最大出力電流を算出することにより、前記定置用蓄電装置の寿命到来時点での前記二次電池の性能を予測する、請求項９に記載の寿命予測システム。
【請求項１５】
前記定置用蓄電装置から前記定置用蓄電装置の状態情報および前記二次電池の性能情報を受信するタイミングが、前回の受信時から一定時間経過後、二次電池の充電完了時、および前記定置用蓄電装置の使用終了時のうちの少なくとも１つである、請求項９から１４のいずれかに記載の寿命予測システム。
【請求項１６】
定置用蓄電装置に搭載された二次電池の性能情報と、前記定置用蓄電装置の状態情報とを受信するステップと、
前記二次電池の性能情報と、前記定置用蓄電装置の状態情報の履歴とに基づいて、前記二次電池の寿命を予測するステップと、を含む寿命予測方法。
【国際調査報告】
2012133212.tif 000011
2012133212.tif 000012
2012133212.tif 000013
2012133212.tif 000014